(57)【要約】【課題】デジタルカメラの利点を最大限に活用して、写真にはなっていなくても被測定対象物の大きさが測れるデジタルカメラを提供すること。【解決手段】被写体からの光を取り込み、撮影レンズでＣＣＤ固体撮像素子に結像させ、その結像させた画像データを記録メディアに記録するときに被写体距離と焦点距離とを被写体像をあらわす画像データとともに記録する。記録メディアに記録された画像データを再生するときに画像データとともに読み込まれるヘッダの中の被写体距離情報と焦点距離情報とに基づいて被写体の大きさを算出する。被写体の任意の２点間の大きさが算出されるように、２点を指定する指定手段としてふたつのカーソル１０５２ａ，１０５２ｂを表示画面１０５ａに表示させる。【選択図】　　　　図３
2004040689.tif 000002
【特許請求の範囲】
【請求項１】
画像を表示する表示画面を備え、被写体からの光を取り込み画像データを得て該画像データを記録する撮影モードと、記録された画像データに基づく画像を前記表示画面上に表示する再生モードとを有するデジタルカメラにおいて、
被写体距離を測定する測距手段を備え、
前記撮影モードは、得られた画像データとともに該画像データを得たときの被写体距離を記録するモードであって、
さらに前記再生モードにおいて、前記表示画面上に表示された画像上の２点を指定する指定手段と、
前記表示画面に表示された画像を撮影したときの被写体距離に基づいて前記指定手段により指定された２点間の距離を求める距離算出手段とを備えたことを特徴とするデジタルカメラ。
【請求項２】
焦点距離可変の撮影レンズを備え、
前記撮影モードは、得られた画像データと該画像データを得たときの被写体距離とに加え、さらに該画像データを得たときの前記撮影レンズの焦点距離を記録するモードであって、
前記距離算出手段は前記表示画面に表示された画像を撮影したときの被写体距離に基づくとともに、さらに該画像を撮影したときの焦点距離にも基づいて前記指定手段により指定された２点間の距離を求めるものであることを特徴とする請求項１記載のデジタルカメラ。
【発明の詳細な説明】
【０００１】
【発明の属する技術分野】
本発明は、被写体からの光を取り込んで所定の撮影面上に結像させる撮影光学系を備えたカメラに関する。
【０００２】
【従来の技術】
カメラの中には、撮影対象物の大きさが分かるようにスケールを銀塩フィルムに写しこむものがある。このようなものの中には特開平５−３２３４４７号記載のものがある。この公報ではフォーカスレンズを移動させるモータの回転量を検知するセンサの出力信号に基づいて、被写体距離に応じたスケールが銀塩フィルムに写しこまれるものが開示されている。このようにスケールが写しこまれた写真では、写真の中の被測定対象物の大きさをスケールを用いて測れるという利点がある。
【０００３】
【発明が解決しようとする課題】
しかし、スケールが写しこまれた写真は測定専用のものとなり、写真としての価値が下がる。
【０００４】
本発明は、上記事情に鑑み、スケールが写しこまれなくとも被測定対象物の大きさが測れるデジタルカメラを提供することを目的とする。
【０００５】
【課題を解決するための手段】
上記目的を達成する本発明のカメラは、画像を表示する表示画面を備え、被写体からの光を取り込み画像データを得て該画像データを記録する撮影モードと、記録された画像データに基づく画像を前記表示画面上に表示する再生モードとを有するデジタルカメラにおいて、
被写体距離を測定する測距手段を備え、
上記撮影モードは、得られた画像データとともに該画像データを得たときの被写体距離を記録するモードであって、
さらに上記再生モードにおいて、表示画面上に表示された画像上の２点を指定する指定手段と、
表示画面に表示された画像を撮影したときの被写体距離に基づいて上記指定手段により指定された２点間の距離を求める距離算出手段とを備えたことを特徴とする。
【０００６】
上記発明のデジタルカメラによれば、撮影モードで撮影が行なわれたときの被写体像をあらわす画像データとともに撮影情報として被写体距離を記録しておき、再生モードになって画像データと被写体距離情報とが読み出され、その読み出された画像データと被写体距離情報のうち、その画像データに基づいて表示画面に表示された画像データがあらわす画像上の２点を上記指定手段で指定することにより、その画像データとともに読み出された被写体距離情報に基づいてその画像上の２地点の間の実際の距離を算出する。したがって、スケールを一緒に写しこむことなしに、被写体の寸法や距離を測定することができる。
【０００７】
ここで焦点距離可変の撮影レンズを備え、
上記撮影モードは、得られた画像データとその画像データを得たときの被写体距離とに加え、さらに該画像データを得たときの撮影レンズの焦点距離を記録するモードであって、
上記距離算出手段は表示画面に表示された画像を撮影したときの被写体距離に基づくとともにさらに該画像を撮影したときの焦点距離にも基づいて上記指定手段により指定された２点間の距離を求めるものであることが好ましい。
【０００８】
このように焦点距離が可変な撮影光学系を備えたデジタルカメラであっても、撮影が行なわれたときの被写体距離情報に加え、焦点距離情報が画像データとともに記録されていると、再生モードになって画像データとともに被写体距離情報と焦点距離情報とが読み出され、その読み出された画像データと被写体距離情報と焦点距離情報のうち、画像データに基づいて表示画面に表示された画像上の２点を指定手段で指定することにより、焦点距離情報および被写体距離情報といった撮影情報に基づいてその指定された２地点の間の実際の距離を算出することができる。
【０００９】
【発明の実施の形態】
以下、本発明の実施形態について説明する。
【００１０】
図１は本発明の実施形態を示すデジタルカメラの外観図である。図１（ａ）は正面図、（ｂ）は上面図、（ｃ）は側面図、（ｄ）は背面図である。
【００１１】
図１（ａ）〜（ｃ）に示すデジタルカメラ１００はレンズ１０１からカメラ１００内部に配備されているＣＣＤ固体撮像素子１１０まで被写体の像が導かれるようになっている。
【００１２】
図１（ｄ）に示すように本実施形態のデジタルカメラ１００の背面にはユーザがこのデジタルカメラ１００を使用するときにいろいろな操作を行うための操作部が設けられている。
【００１３】
この操作部には操作用のスイッチ群とＬＣＤ画面１０５ａが設けられている。操作スイッチ群にはデジタルカメラを作動させるための電源投入用のパワースイッチ１０２、撮影と再生とを自在に切替える撮影・再生切替レバー１０３、実行キー１０６ａ、キャンセルキー１０６ｂ、十字キー１０７および閃光発光部１０４のポップアップスイッチ１０８などがある。ＬＣＤ画面１０５ａに表示される選択メニューの項目が十字キー１０７によって選択できるようになっている。さらにはＬＣＤ画面１０５ａの表示、非表示の切替を行うための表示キー１０５１も設けられている。なお、十字キーの内側には撮影モードなどが表示される表示部１０７ａがある。
【００１４】
また、図１（ｂ）に示すようにこのデジタルカメラ１００の上方にはレリーズ釦１０９が配備されている。このレリーズ釦１０９によって撮影の開始指示がデジタルカメラ内部の信号処理部へと伝えられる。
【００１５】
このデジタルカメラ１００では撮影・再生切替レバー１０３によって撮影と再生との切替が自在になっていて、撮影を行うときにはユーザによって撮影・再生切替レバー１０３が撮影側１０３ａに切り替えられ、再生を行うときには撮影・再生切替レバー１０３が再生側１０３ｂに切り替えられる。また、夜間撮影も行えるように閃光発光装置１０４も配備されている。
【００１６】
図２はデジタルカメラ１００の内部に配備された信号処理部の構成ブロック図である。図２を参照してデジタルカメラ１００内にある信号処理部の構成を説明する。なお、図２にはＣＣＤ固体撮像素子１１０のことをＣＣＤと記してある。
【００１７】
本実施形態のデジタルカメラ１００ではすべての処理がＣＰＵ１１１によって制御されていて、このＣＰＵ１１１の制御のもとにＤＳＰ１１２によってＣＣＤ固体撮像素子１１０で得られた画像データの処理が行われる。このＣＰＵ１１１とＤＳＰ１１２とは図示しないバスで接続されており、このバスを介してデータのやりとりが行われる。また、ＣＰＵ１１１にはＳＤＲＡＭ１１３とＦＬＡＳＨＲＯＭ１１４とが接続されており、ＳＤＲＡＭ１１３にはＤＳＰ１１２で処理が行われる画像データが記憶され、ＦＬＡＳＨＲＯＭ１１４にはＣＰＵ１１１に処理を実行させるためのプログラムが記憶されている。図２にはＤＳＰ１１２側へＳＤＲＡＭ１１３に記憶された画像データの読み出しが行われることが矢印で示されている。
【００１８】
このＣＰＵ１１１の入力部には、図１に示した各種キーおよび各種スイッチの操作に応じた電気信号が入力される。図２ではこれらの各種キーおよび各種スイッチを、キーを示すＫＥＹ、スイッチを示すＳＷ…を用いてＫＥＹ，ＳＷ…と示してある。この各種スイッチを示すキーＫＥＹ、スイッチＳＷ…１１５には、図１に示したパワースイッチ１０２、撮影・再生切替スイッチ１０３、表示キー１０５１、実行キー１０６ａ、キャンセルキー１０６ｂ、上キー１０７１、右キー１０７２、下キー１０７３、左キー１０７４の４つのキーで構成される十字キー１０７などがある。
【００１９】
また、本実施形態のデジタルカメラ１００ではＬＣＤ画面１０５ａに表示メニューの表示が可能な構成になっており、そのメニューで表示される項目の選択が上記十字キー１０７により行われる。
【００２０】
この十字キー１０７ではＬＣＤ画面１０５ａに表示される選択メニューの、複数の項目の中のいずれかが選択できるようになっている。図１に示した十字キーの４つのキーのうち、上キー１０７１が押されたら上方向へＬＣＤ画面１０５ａに表示されたカーソルが移動し、右キー１０７２が押されたらカーソルが右方向へ移動する構成になっている。これらのキー１０７１〜１０７４が押されたときに、それらのキー１０７１〜１０７４が押されたことがＣＰＵ１１１に認識され、ＣＰＵ１１１では４つのキー１０７１〜１０７４のうち、いずれのキーが押されたかに基づいてバスを経由させてＬＣＤ画面１０５ａへカーソルの移動指示が転送される。そうすると複数表示されている項目の中のいずれかにカーソルが移動してそれらの項目の中のいずれかがその移動したカーソルにより選択される。カーソルが項目の中のいずれかに置かれた状態で実行キー１０６ａが押されればその項目が実行される。したがってユーザはＬＣＤ画面１０５ａに表示されたカーソルにより、選択メニューの中の、複数の項目のいずれかを選択することができる。この表示メニューの中には測定モードの項目があり、その測定モードが選択されたら、ＣＰＵ１１１に測定モードであることが認識される。
【００２１】
また、閃光発光装置のポップアップ用のスイッチ１０８も接続されていて、このスイッチ１０８が押されると、閃光発光部１０４がポップアップされる。
【００２２】
また、撮影・再生切替レバー１０３が再生側１０３ｂに切り替えられると記録メディアからの再生が行われる。このときには撮影を行うための指示を行うレリーズ釦などからの信号が入力されても処理は行われない。
【００２３】
次にＣＰＵ１１１の出力部を説明する。
【００２４】
出力部にはタイミングジェネレータ（以下ＴＧという）１１６、フォーカスレンズ１１８を駆動するためのモータドライバ（以下ＤＲＶという）１１７が接続されている。また、閃光発光部１０４に閃光発光を行わせる閃光発光装置１０４ａもＣＰＵ１１１には接続されている。
【００２５】
まずユーザが撮影を行うときにＣＰＵ１１１の出力部からどのような信号が出力されるかを説明する。撮影を行うときにはＬＣＤ画面１０５ａ上に被写体像が被写体の動きにあわせて表示されている。この表示されている被写体の像を見ながら、ユーザによりフレーミングが行なわれ、レリーズ釦１０９が押されたら撮影が行なわれる。このレリーズ釦１０９が押されたら、ＣＰＵ１１１では撮影開始を指示する信号がＴＧ１１６へ出力される。ＴＧ１１６ではこの指示を受けてＣＣＤ固体撮像素子１１０へレリーズ釦１０９が押下されたことを知らせる信号が供給される。この信号を受けてＣＣＤ固体撮像素子１１０ではレリーズ釦１０９が押されたときにＣＣＤ固体撮像素子１１０によって撮像されていた画像データがＲＧＢ信号として出力される。
【００２６】
ここからはＣＣＤ固体撮像素子１１０で撮像された撮像信号がどのように処理されるかを、順を追って説明する。
【００２７】
ＣＣＤ固体撮像素子１１０で得られた撮像信号はＲＧＢ信号となってＣＤＳおよびＡ／Ｄ部１１９へ供給される。このＣＤＳおよびＡ／Ｄ部１１９で雑音の低減が行われてからデジタル信号に変換され、デジタルのＲＧＢ信号となってＤＳＰ１１２へ供給される。このＤＳＰ１１２内には画像信号処理部、圧縮処理部、ＡＥ（ＡｕｔｏＥｘｐｏｓｕｒｅ）検出部、ＡＷＢ（Ａｕｔｏ　Ｗｈｉｔｅ　Ｂａｌａｎｃｅ）検出部、ＡＦ（Ａｕｔｏ　Ｆｏｃｕｓ）検出部、ビデオエンコーダ、音声信号処理部、記録メディアコントローラといった各信号処理部が包含されている。したがってこのＤＳＰ１１２でＣＣＤ固体撮像素子１１０で得られたＲＧＢ信号からなる画像データに一連の処理が施され、その処理が施された画像データがＬＣＤ１０５、記録メディア１３０といった出力機器へ出力される。音声についてはマイク、スピーカといった音声入出力機器に必要な音声信号の処理がＤＳＰ１１２で行われる。この実施形態のデジタルカメラ１００ではマイクからの音声信号がＡＵＤＩＯ　Ｉ／Ｆ１４０を介してＤＳＰ１１２で受け取られ、この受け取られた信号が一旦、ＤＳＰ１１２内に記憶され、必要に応じてその記憶された音声信号がＡＵＤＩＯ　Ｉ／Ｆ１２０を介してスピーカへ供給される。ＤＳＰ１１２内の音声信号処理部は本実施形態のデジタルカメラでムービ撮影が行われる場合などに利用される。
【００２８】
以上がＣＣＤ固体撮像素子１１０により得られた撮影信号の流れである。
【００２９】
ここで前述した撮影・再生切替レバー１０３が撮影側１０３ａに切り替えられ、撮影が行われたときの画像データの流れを詳細に説明する。
【００３０】
撮影が行われるときには、ＣＰＵ１１１の入力部に接続されている撮影・再生切替レバー１０３が撮影側１０３ａに切り替えられる。
【００３１】
このようなデジタルカメラ１００ではレリーズ釦１０９が押されていなくてもＬＣＤ１０５の表示画面１０５ａに撮影レンズが向けられた方向の被写体像がスルー画像として常に表示されている。この表示されているスルー画像は、ＣＣＤ固体撮像素子１１０から所定の間隔ごとに読み出されるＲＧＢ信号から成る画像データがＤＳＰ１１２内の画像信号処理部でＹＣ信号に変換され、そのＹＣ信号がＤＳＰ１１２内のビデオエンコーダを経由してＬＣＤ１０５に供給されて得られるものである。このようなスルー画像の表示が行われているときにはスルー画像ごとにＤＳＰ１１２で露出調節、焦点調節といったカメラ特有の信号処理が行われている。この露出調節にあってはＤＳＰ内のＡＥ検出部が機能し、焦点調節にあってはＡＦ検出部が機能する。このＡＦ検出部では被写体距離が近いところにあるか、遠いところにあるかを検出するため、フォーカスレンズを移動させながら、所定の間隔ごとにコントラストの検出を行い被写体距離の測定が行なわれている。この方式はＴＴＬＡＦ（Ｔｈｒｏｕｇｈ　Ｔｈｅ　ＬＥＮＳ　ＡＦ）と呼ばれる。このＡＦ検出部とフォーカスレンズの移動機構が本発明にいう測距手段に当たる。
【００３２】
ここで自分が求めている被写体がＬＣＤ画面１０５ａにスルー画像として表示されていたら、ユーザによりレリーズ釦１０９が押される。ユーザによってレリーズ釦１０９が押されるとＣＰＵ１１１からＴＧ１１２に対して撮影の開始指示が出される。この開始指示を受けてＣＣＤ固体撮像撮像素子１１０ではＲＧＢ信号が出力される。
【００３３】
この出力されたＲＧＢ信号はＣＤＳおよびＡ／Ｄ変換部１１９でデジタル信号に変換され、ＤＳＰ１１２内の画像入力コントローラによってＤＳＰ１１２側へ導かれ、その導かれたＲＧＢ信号がＤＳＰ１１２内のバスを介してＳＤＲＡＭ１２１に供給され、ＳＤＲＡＭ１２１にデジタル信号のＲＧＢ信号が書き込まれる。そしてすべての画像データに対応するＲＧＢ信号の取り込みが完了したら、今度はＳＤＲＡＭ１２１からＲＧＢ信号が読み出されてＤＳＰ１１２に供給される。ＤＳＰ１１２ではＲＧＢ信号からＹＣ信号への変換が行なわれ、さらにＤＳＰ１２１内の圧縮処理部で圧縮された画像データがインタフェース（以下、Ｉ／Ｆという）を介して記録メディア１３０に供給され、この記録メディア１３０に画像データがＪＰＥＧ圧縮ファイルとして記録される。このＪＰＥＧ圧縮ファイルはＥＸＩＦファイルと呼ばれており、ヘッダと圧縮された画像データとからなる。そのヘッダの中にはファイルの圧縮具合を知らせる圧縮情報や撮影されたときの撮影情報が記録される。このＥＸＩＦファイルがＤＳＰ１１２内の圧縮処理部により生成され、記録メディアコントローラを介して記録メディア１３０に記録される。この記録メディア１３０に記録された撮影情報の中には、被写体距離情報と焦点距離情報とが含まれる。
【００３４】
なおＤＳＰ１１２とＣＰＵ１１１とはバスによって接続されており、このバスを介してアドレス、データのやりとりが行われる。ＣＰＵ１１１には内部にレジスタが各種用意されており、これらのレジスタの内容が各信号処理部の処理の進行状況に応じて書き換えられる。ＣＰＵ内１１１ではこのレジスタの内容を判読してＦＬＡＳＨＲＯＭ１１４内に格納されているプログラムの手順にしたがった処理が行われる。
【００３５】
次に図２を参照して再生モードが選択された場合の画像データの信号の流れを説明する。
【００３６】
撮影・再生切り替えスイッチ１０３が再生側１０３ｂに倒されると、ＣＰＵ１１１からＤＳＰ１１２内の記録メディアコントローラへ指示が出され、再生プロセスが起動される。この再生プロセスが起動されると、記録メディア１３０から記録されているＥＸＩＦファイルが読み出され、ＤＳＰ１１２内の圧縮処理部に供給される。圧縮処理部には解凍機能も備えられており、ここで解凍が行なわれる。ＤＳＰ１１２には、ＣＰＵ１１１から再生モードであることが通知されており、圧縮処理部でＥＸＩＦファイルのヘッダの中の撮影情報に基づいて画像データの解凍が行われる。
【００３７】
この圧縮部にはメモリが備えられており、このメモリに解凍された画像データが記憶され、その画像データがＬＣＤ１０５に供給され、ＬＣＤ１０５の表示画面１０５ａに画像データがあらわす画像が表示される。
【００３８】
このときには十字カーソル１０７の左キー１０７４の操作回数に応じて、撮影された被写体像が撮影された順序とは逆の順序で、順次再生され、表示画面１０５ａに撮影された画像データがあらわす画像が順次表示されるようになっている。また上キー１０７１を操作すると、表示されている画像の拡大も行われるようになっている。
【００３９】
このように再生モードで再生が行なわれ、表示画面１０５ａに撮影された画像が表示されているときには、ユーザによっては撮影された画像データがあらわす画像に基づいて被写体の大きさが実際どの程度の大きさであるかを知りたいと思う人も少なくない。そこで、本実施形態のデジタルカメラ１００には測定モードが配備され、この測定モードが選択されると、撮影された画像データがあらわす画像に基づいて被写体の実際の距離が測れるようになっている。
【００４０】
図３は測定モードのときの表示画面の一例を示す図である。図３中の符号ａはＬＣＤ画面１０５ａの幅であり、符号ｂは２本のカーソル１０５２ａ、１０５２ｂで指定された間のＸ座標の差である。なお図３には焦点調節が行なわれるときの基準位置がＡＦターゲットマークとして表記されている。
【００４１】
選択メニューで測定モードが選択されると、ＣＰＵ１１１ではＬＣＤ１０５に対し、カーソルの表示指示が行われる。この表示指示を受けてＬＣＤ１０５では図３に示すように２本の測定用のカーソル１０５２ａ，１０５２ｂが表示される。これらの測定用のカーソル１０５２ａ，１０５２ｂは線状のもので、縦線あるいは横線のいずれかで表示される。図３には縦線の例が示されている。これらのカーソル１０５２ａ，１０５２ｂは所定の間隔ごとに縦線と横線とが切り替えられ表示されるようになっている。ただし、十字キー１０７のいずれかが操作されると、そのときに表示されていた縦線あるいは横線のいずれかのカーソル１０５２ａあるいは１０５２ｂが切り替えられずに保持される。さらにここで十字キー１０７のいずれかが操作され続けると、表示されたカーソルが縦線のカーソル１０５２ａ，１０５２ｂであれば横方向に、表示されたカーソルで横線のカーソルであれば縦方向に十字キー１０７の操作に応じてそれぞれ移動する。
【００４２】
そして十字キー１０７が操作され続けて一方の測定カーソル１０５２ａが被写体の一部まで移動させられ、実行キー１０６ａが押されると、そのカーソル１０５２ａの位置に対応する画面上の座標がＣＰＵ１１１内のレジスタに格納される。もう一つのカーソル１０５２ｂが別の地点に配置され、実行キー１０６ａが押されるともう一つのカーソル１０５２ｂで指定された位置に対応する画面上の座標がＣＰＵ１１１内のレジスタに格納される。このようにして２つの画面上の位置が２本のカーソル１０５２ａ，１０５２ｂによりそれぞれ指定されると、２本のカーソル１０５２ａ，１０５２ｂそれぞれで指定された２つの画面上の位置に対応する２地点間の実際の距離がＣＰＵ１１１内で算出される。
【００４３】
ＣＰＵ１１１では、縦線と横線で表示されるカーソルのＬＣＤ画面上の座標が認識されており、実行キー１０６ａが押されたときのカーソルのＬＣＤ画面上の座標値がＣＰＵ１１１内のレジスタなどに格納されている。これらの値と、ＥＸＩＦファイルの中のヘッダ部に記録されていた焦点距離情報と被写体距離情報とにより２地点間の距離が算出される。
【００４４】
図４は２本のカーソルで指定された２つの地点の距離Ｘと撮影画角で規定される距離Ｙとを示す図である。
【００４５】
図４に示す符号Ｌが測距情報を、符号θが画角情報を示している。この図４では符号θと符号Ｙとで決められる２等辺三角形の底辺の長さが距離Ｙに、高さが被写体距離Ｌにそれぞれ対応する。
【００４６】
プログラムには三角公式と比例配分に基づいて２地点間の距離を算出する仕方が記述されており、その記述は下式に基づくものである。
【００４７】
まず、三角公式から
ｔａｎ（θ／２）＝（Ｙ／２）／Ｌ　　　　　　　　　　　式１
が導かれる。この関係は被写体距離Ｌと撮影画角とを関係付けるものである。
【００４８】
よって　Ｙ＝２Ｌｔａｎ（θ／２）になる。
【００４９】
ここで図３に示す表示画面の幅ａと２本のカーソルで指示された位置に対応するそれぞれのＸ座標の差ｂとの間の比率が距離Ｙと距離Ｘとの比に等しいとして
ａ　：　ｂ　＝　Ｙ　：　Ｘ　　　　　　　　　　　　　式２
とおく。そうすると
Ｘ＝（ｂ／ａ）Ｙ＝（ｂ／ａ）×２Ｌｔａｎ（θ／２）　　式３
になり、距離Ｘが算出される。
【００５０】
この距離Ｘが被写体の大きさになる。この結果は表示画面上に数値として表示される。その結果が図３中の１５０ｃｍである。
【００５１】
本発明のデジタルカメラでは、ＴＴＬＡＦ方式での測距が行なわれており、ＡＦセンサから見た被写体と撮影レンズから見た被写体とが同一の光軸上に形成されるので、撮影レンズで撮影レンズに近接した被写体が撮影される場合においても被写体距離Ｌの測定にあたり視差が問題になることはほとんどない。
【００５２】
しかし、ＴＴＬＡＦ方式の測距方式ではコントラストを検出して被写体距離Ｌを求めているため、あまり高い精度での距離の算出は望めない。そこで投光された光が被写体にあたって戻ってくる光を受光して被写体距離を測定するアクティブＡＦユニットを組み込む場合もある。アクティブＡＦユニットの場合、被写体距離Ｌが正確に求まるので高い精度で測定を行なうことができる。
【００５３】
このようにアクティブＡＦ方式による測距方式とＴＴＬＡＦ方式による測距方式の双方の測距方式を併用して、精度の高い方の測距結果を用いて被写体距離を求める構成にすれば、より高い精度での測定を行なうことができる。
【００５４】
また距離の分かっている２点をそれぞれ撮影しておくことにより、その２点の距離データを基準としてアクティブＡＦ方式あるいはＴＴＬＡＦ方式いずれかの方式で得られた被写体距離の測定結果に補正を加えることを行なえば、より高い精度で被写体の大きさの測定を行なうことができる。
【００５５】
さらに充分遠方の被写体を撮影した場合においては測距精度が粗くくなるため、測定誤差が大きくなることが予想される。このようなときには測定精度の問題から測定可能な撮影範囲を制限しても良い。
【００５６】
以上説明したように、写真になる前に被写体の大きさを測定することができるデジタルカメラが実現される。
【００５７】
なお、本実施形態のカメラでは被写体距離情報と焦点距離情報双方がデータとして記録されるデジタルカメラを例に挙げて示したが、本発明はこれに拠らず、被写体距離情報のみが記録されるデジタルカメラであっても良い。このときには焦点距離が固定され、その固定された焦点距離と、被写体距離情報に基づいて、距離Ｘの算出が行なわれる。
【００５８】
【発明の効果】
以上、説明したように、本発明のカメラによれば、デジタルカメラの利点を最大限に活用して、写真にはなっていなくても被測定対象物の大きさが測れるデジタルカメラを提供することができる。
【図面の簡単な説明】
【図１】本発明の一実施形態であるデジタルカメラの外観図である。
【図２】図１のデジタルカメラ内に配備される信号処理部の構成ブロック図である。
【図３】図３は測定モードが選択されたときの表示画面１０５ａの一例を示す図である
【図４】図４はカーソルで指定された２つの地点の距離Ｘと撮影画角で規定される距離Ｙとを示す図である。
【符号の説明】
１００　　デジタルカメラ
１０１　　撮影レンズ
１０２　　パワースイッチ
１０３　　モード選択レバー
１０４　　閃光発光部
１０４ａ　　閃光発光装置
１０５　　ＬＣＤ
１０５ａ　　ＬＣＤ画面
１０６ａ　　実行キー
１０６ｂ　　キャンセルキー
１０７　　十字キー
１０７１　上キー
１０７２　右キー
１０７３　下キー
１０７４　左キー
１０８　　閃光発光装置のポップアップスイッチ
１０９　　レリーズ釦
１１０　　ＣＣＤ固体撮像素子
１１１　　ＣＰＵ
１１２　　ＤＳＰ
１１３　　ＳＤＲＡＭ
１１４　　ＦＬＡＳＨＲＯＭ
１１５　　各種スイッチ
１１６　　タイミングジェネレータ
１１７　　フォーカスレンズ駆動用のドライバ
１１８　　フォーカスレンズ
１１９　　ＣＤＳおよびＡ／Ｄ変換部
１２０　　Ｉ／Ｆ
１３０　　記録メディア
１４０　　ＡＵＤＩＯＩ／Ｆ
【図１】
2004040689.tif 000003
【図２】
2004040689.tif 000004
【図３】
2004040689.tif 000005
【図４】
2004040689.tif 000006